(57)【特許請求の範囲】
【請求項１】
コンテンツの再生データを再生する複数の再生装置と、
前記再生データを記憶するとともに、当該再生データを前記複数の再生装置のそれぞれに出力するサーバとを有し、
前記再生装置は、
再生指示、一時停止指示、再生再開指示が入力される操作部と、
前記操作部に入力された指示を前記サーバに送信するとともに、前記サーバから入力された前記再生データを受信する装置側通信部と、
前記装置側通信部で受信した前記再生データを再生する再生部と、
前記操作部に対する指示に基づいて前記装置側通信部及び前記再生部を制御する装置側制御部とを備え、
前記サーバは、
前記再生データを記憶する記憶部と、
前記複数の再生装置それぞれの前記装置側通信部と通信するサーバ側通信部と、
前記再生データを読み出し、前記サーバ側通信部から出力させる読出部と、
前記複数の再生装置それぞれの電源状態を検出する検出部と、
前記サーバ側通信部に入力された前記操作部からの指示及び前記検出部の検出結果に基づいて前記読出部及び前記サーバ側通信部を制御するサーバ側制御部とを備え、
前記装置側制御部は、
前記操作部に前記再生指示が入力されると、前記装置側通信部を制御して、前記再生指示を前記サーバに出力した後、前記再生部を制御して、前記サーバから入力された前記再生データを再生し、
前記操作部に前記一時停止指示が入力されると、前記装置側通信部を制御して、前記一時停止指示とともに一時停止位置情報及びコンテンツ識別情報を含む一時停止情報を前記サーバに出力し、
前記操作部に前記再生再開指示が入力されると、前記装置側通信部を制御して、前記再生再開指示及び前記一時停止情報を前記サーバに出力した後、前記再生部を制御して、前記サーバから入力された前記再生データを再生し、
前記サーバ側制御部は、
前記サーバ側通信部に前記再生指示が入力されると、前記読出部及び前記サーバ側通信部を制御して、前記記憶部内の前記再生データを先頭から読み出させながら、前記再生装置に出力し、
前記サーバ側通信部に前記再生再開指示が入力されると、前記読出部及び前記サーバ側通信部を制御して、前記記憶部内の前記再生データを前記一時停止情報に基づく位置から読み出させながら、前記再生装置に出力し、
前記サーバ側通信部に前記一時停止指示及び前記一時停止情報が入力されると、前記読出部及びサーバ側通信部を制御して、前記再生データの読み出しを停止させて、前記複数の再生装置のうち、前記検出部の検出結果が電源ＯＮである前記再生装置に前記一時停止情報を出力することを特徴とするネットワークシステム。
【請求項２】
請求項１記載のネットワークシステムにおいて、
前記一時停止指示の入力時には前記操作部でパスワード登録が可能であり、当該パスワードは前記一時停止情報に含まれ、
前記再生再開指示の入力時には、前記操作部でパスワード入力が可能であり、
前記装置側制御部は、前記再生再開指示の入力時に入力されたパスワードと、前記一時停止指示の入力時に登録されたパスワードとを照合し、当該照合が一致の場合には前記サーバから入力された前記再生データを再生し、前記照合が不一致の場合には前記再生を中止することを特徴とするネットワークシステム。
【発明の詳細な説明】
【技術分野】
【０００１】
本発明は、ネットワークシステムに関する。
【背景技術】
【０００２】
従来、サーバに複数の再生装置（以下、クライアントという。）を接続したネットワークシステムが開発されている。ネットワークシステムでは、動画、音楽、静止画などのコンテンツをサーバで管理していて、各クライアントがサーバと通信することで各コンテンツを再生できるようになっている。つまり、例えばＤＶＤや、ＣＤなどのようなコンテンツを記憶した記憶媒体を各クライアントで読み込まなくとも、様々なコンテンツを再生することができるのである。
【０００３】
クライアントには、表示機能を備えた外部機器に対して表示信号を出力する表示制御部や、各種指示が入力される操作部、サーバから送信されたコンテンツデータを基に再生を実行する再生部、これらを制御する制御部が備えられている。図６は、従来のネットワークシステムにおけるクライアントの制御工程を表すフローチャートである。図６に示すように、まずステップＳ１０１では、クライアントの制御部は、サーバ内のコンテンツリストが表示されるように、表示制御部を制御する。
【０００４】
ステップＳ１０２では、制御部は操作部の上下キーに対して入力操作があるか否かを判断し、入力操作がある場合にはステップＳ１０３に移行して、入力操作がない場合にはその状態で待機する。
ステップＳ１０３では、制御部は上下キーに対する入力操作により選択されたコンテンツが表示されるように表示制御部を制御する。
【０００５】
ステップＳ１０４では、制御部は操作部のＰＬＡＹ／ＥＮＴＥＲキーに対して入力操作があるか否かを判断し、入力操作がある場合にはステップＳ１０５に移行して、入力操作がない場合にはステップＳ１０２に移行する。
【０００６】
ステップＳ１０５では、制御部は再生処理が実行されるように再生部を制御する。
ステップＳ１０６では、制御部は操作部のストップキーに対して入力操作があるか否かを判断し、入力操作がある場合にはステップＳ１１８に移行して、入力操作がない場合にはステップＳ１０７に移行する。
【０００７】
ステップＳ１０７では、制御部は操作部の早送りキーに対して入力操作があるか否かを判断し、入力操作がある場合にはステップＳ１１０に移行して、入力操作がない場合にはステップＳ１０８に移行する。
ステップＳ１０８では、制御部は操作部の早戻しキーに対して入力操作がなるか否かを判断し、入力操作がある場合にはステップＳ１１４に移行して、入力操作がない場合にはステップＳ１０９に移行する。
ステップＳ１０９では、制御部はコンテンツの再生終了位置まで達したか否かを判断し、達している場合にはステップＳ１１８に移行して、達していない場合にはステップＳ１０６に移行する。
【０００８】
ステップＳ１１０では、制御部は早送り処理が実行されるように再生部を制御する。
ステップＳ１１１では、制御部は操作部のＰＬＡＹキーに対して入力指示があるか否かを判断して、入力指示がある場合にはステップＳ１０５に移行して、入力指示がない場合にはステップＳ１１２に移行する。
【０００９】
ステップＳ１１２では、制御部は操作部のＳＴＯＰキーに対して入力指示があるか否かを判断して、入力指示がある場合にはステップＳ１１８に移行して、入力指示がない場合にはステップＳ１１３に移行する。
ステップＳ１１３では、制御部はコンテンツの再生終了位置まで達したか否かを判断し、達している場合にはステップＳ１１８に移行して、達していない場合にはステップＳ１１１に移行する。
【００１０】
ステップＳ１１４では、制御部は早戻し処理が実行されるように再生部を制御する。
ステップＳ１１５では、制御部は操作部のＰＬＡＹキーに対して入力指示があるか否かを判断して、入力指示がある場合にはステップＳ５に移行して、入力指示がない場合にはステップＳ１１６に移行する。
【００１１】
ステップＳ１１６では、制御部は操作部のＳＴＯＰキーに対して入力指示があるか否かを判断して、入力指示がある場合にはステップＳ１１８に移行して、入力指示がない場合にはステップＳ１１７に移行する。
【００１２】
ステップＳ１１７では、制御部はコンテンツの先頭まで達したか否かを判断し、達している場合にはステップＳ１０５に移行して、達していない場合にはステップＳ１１５に移行する。
ステップＳ１１８では、制御部は停止処理が実行されるように再生部を制御する。
これらの工程によってコンテンツの再生、一時停止、早送り、早戻しが実行されるのである。
【００１３】
ところで、例えばユーザがリビングにあるクライアントでコンテンツを視聴している途中に、自室への移動を余儀なくされた場合には、一時停止して自室のクライアントで当該コンテンツを視聴することになる。この場合、自室のクライアントで再生を再開するときには、一時停止位置までユーザ自身が早送りをしなければならず、手間がかかっていた。
【００１４】
このため、近年においては、所定のクライアントで一時停止が実行された際に一時停止情報を、サーバを介して他の特定のクライアントに出力することで、他のクライアントであっても一時停止位置から再生を再開できるネットワークシステムが開発されている（例えば特許文献１参照）。
【特許文献１】特開２００５−１０２１９４号公報
【発明の開示】
【発明が解決しようとする課題】
【００１５】
ここで、視聴時のシチュエーションとして、家族などが揃ってリビングにあるクライアントで視聴した後に、一時停止後各々の部屋のクライアントで視聴を再開する場合も考えられる。しかしながら、特許文献１記載のネットワークシステムでは、所定のクライアントから一時停止が実行されても、他の特定のクライアントにのみ一時停止情報が出力されるので、各々の部屋で一時停止位置から再開するということはできなかった。
【００１６】
本発明の課題は、ネットワーク上のいずれの再生装置においても、停止位置からの再生再開を即座に実行できるようにすることである。
【課題を解決するための手段】
【００１７】
請求項１記載の発明におけるネットワークシステムは、
コンテンツの再生データを再生する複数の再生装置と、
前記再生データを記憶するとともに、当該再生データを前記複数の再生装置のそれぞれに出力するサーバとを有し、
前記再生装置は、
再生指示、一時停止指示、再生再開指示が入力される操作部と、
前記操作部に入力された指示を前記サーバに送信するとともに、前記サーバから入力された前記再生データを受信する装置側通信部と、
前記装置側通信部で受信した前記再生データを再生する再生部と、
前記操作部に対する指示に基づいて前記装置側通信部及び前記再生部を制御する装置側制御部とを備え、
前記サーバは、
前記再生データを記憶する記憶部と、
前記複数の再生装置それぞれの前記装置側通信部と通信するサーバ側通信部と、
前記再生データを読み出し、前記サーバ側通信部から出力させる読出部と、
前記複数の再生装置それぞれの電源状態を検出する検出部と、
前記サーバ側通信部に入力された前記操作部からの指示及び前記検出部の検出結果に基づいて前記読出部及び前記サーバ側通信部を制御するサーバ側制御部とを備え、
前記装置側制御部は、
前記操作部に前記再生指示が入力されると、前記装置側通信部を制御して、前記再生指示を前記サーバに出力した後、前記再生部を制御して、前記サーバから入力された前記再生データを再生し、
前記操作部に前記一時停止指示が入力されると、前記装置側通信部を制御して、前記一時停止指示とともに一時停止位置情報及びコンテンツ識別情報を含む一時停止情報を前記サーバに出力し、
前記操作部に前記再生再開指示が入力されると、前記装置側通信部を制御して、前記再生再開指示及び前記一時停止情報を前記サーバに出力した後、前記再生部を制御して、前記サーバから入力された前記再生データを再生し、
前記サーバ側制御部は、
前記サーバ側通信部に前記再生指示が入力されると、前記読出部及び前記サーバ側通信部を制御して、前記記憶部内の前記再生データを先頭から読み出させながら、前記再生装置に出力し、
前記サーバ側通信部に前記再生再開指示が入力されると、前記読出部及び前記サーバ側通信部を制御して、前記記憶部内の前記再生データを前記一時停止情報に基づく位置から読み出させながら、前記再生装置に出力し、
前記サーバ側通信部に前記一時停止指示及び前記一時停止情報が入力されると、前記読出部及びサーバ側通信部を制御して、前記再生データの読み出しを停止させて、前記複数の再生装置のうち、前記検出部の検出結果が電源ＯＮである前記再生装置に前記一時停止情報を出力することを特徴としている。
【００１８】
請求項２記載の発明は、請求項１記載のネットワークシステムにおいて、
前記一時停止指示の入力時には前記操作部でパスワード登録が可能であり、当該パスワードは前記一時停止情報に含まれ、
前記再生再開指示の入力時には、前記操作部でパスワード入力が可能であり、
前記装置側制御部は、前記再生再開指示の入力時に入力されたパスワードと、前記一時停止指示の入力時に登録されたパスワードとを照合し、当該照合が一致の場合には前記サーバから入力された前記再生データを再生し、前記照合が不一致の場合には前記再生を中止することを特徴としている。
【発明の効果】
【００１９】
本発明によれば、サーバ側通信部に一時停止指示及び一時停止情報が入力されると、再生データの読み出しが停止されて、複数の再生装置のうち、検出部の検出結果が電源ＯＮである再生装置に対して一時停止情報が出力されるので、電源ＯＮの全ての再生装置で一時停止情報を取得させることができる。取得した一時停止情報は、再生再開指示とともにサーバに出力されるので、一時停止情報に基づいた一時停止位置から再生が再開されることになる。このように一時停止位置まで早送りをしなくともネットワーク上のいずれの再生装置で停止位置からの再生再開を即座に実行することができることになる。
また、再生再開指示の入力時に入力されたパスワードと、一時停止指示の入力時に登録されたパスワードとが照合されて、当該照合が一致の場合にはサーバから入力された再生データが再生され、照合が不一致の場合には再生が停止されるので、他人に自分の嗜好を知られてしまうことを防止することができる。
【発明を実施するための最良の形態】
【００２０】
以下、図面を参照しつつ、本発明に係る実施形態について説明する。図１は、本実施形態のネットワークシステム１を示す説明図である。図１に示すように、ネットワークシステム１には、コンテンツの再生データを再生する複数の再生装置２と、再生データを記憶するとともに、当該再生データを複数の再生装置２のそれぞれに出力するサーバＳと、サーバＳから出力された再生データを送り先となる再生装置に割り振るルータ４とが備えられている。
【００２１】
図２は、再生装置２の概略構成を表すブロック図である。図２に示すように、再生装置２には、各種指示が入力される操作部５と、操作部５に入力された指示（コントロールデータ）をサーバＳに送信するとともに、ルータ４を介してサーバＳから入力された再生データを受信する通信部（装置側通信部）６と、通信部６で受信した再生データを複合化するデコーダ７と、デコーダ７により複合化された再生データのうち、音楽データを受信し、再生するＤＩＲ（デジタルインターフェイスレシーバ）８と、デコーダ７により複合化された再生データのうち、映像データを受信し、再生するＶＩＤＥＯ制御部９と、操作部５に対する指示に基づいてＤＩＲ８、ＶＩＤＥＯ制御部９及び通信部６を制御する制御部（装置側制御部）１０と、種々の情報を表示する表示部１１と、制御部１０の制御に基づいて表示部１１を制御する表示制御マイコン１２と、ＤＩＲ８からの出力信号に対して音声処理を施すオーディオＤＳＰ１３と、オーディオＤＳＰ１３から出力された音声信号を増幅するアンプ部１４と、アンプ部１４により増幅された音声信号を出力するスピーカ１５とが設けられている。
【００２２】
操作部５は、例えば再生装置２本体に設けられた操作キーや、リモコンの操作キーなどである。操作部５に入力される各種指示には、例えば、再生指示、一時停止指示、再生再開指示、サーバＳ内にある複数のコンテンツの再生データの一覧を表示するためのコンテンツリスト表示指示、コンテンツリスト内の再生データを選択するためのコンテンツ選択指示、パスワードを登録するためのパスワード登録指示、登録されたパスワードと照合するためのパスワード入力指示などが挙げられる。
そして、操作部５の各操作キーには、例えば、再生指示用のＰＬＡＹキー、一時停止指示用のＳＴＯＰキー、再生再開指示用のＲＥＳＵＭＥキー、コンテンツリスト表示指示用の表示キー、コンテンツ選択指示用の上下キー、パスワード登録指示及びパスワード入力指示用の数字キー、各指示確定用のＥＮＴＥＲキーが設けられている。
【００２３】
通信部６には、ルータ４に接続される入出力端子６１と、制御部１０の制御に基づいて入出力端子６１により各種データ（コントロールデータや、再生データ）を通信させるＬＡＮコントローラ６２とが設けられている。
【００２４】
デコーダ７は、通信部６で受信した再生データを複合化する際に、当該再生データを音楽データと映像データとに分類し、音楽データをＤＩＲ８に出力して映像データをＶＩＤＥＯ制御部９に出力するようになっている。
【００２５】
ＤＩＲ８は、デコーダ７を介して入力されたコントロールデータに基づいて音声データを再生し、オーディオＤＳＰ１３に出力する。
ＶＩＤＥＯ制御部９は、制御部１０からのコントロールデータに基づいて映像データを再生し、外部機器であるモニタＭに出力する。つまり、ＤＩＲ８及びＶＩＤＥＯ制御部９が本発明に係る再生部である。
【００２６】
制御部１０は、ＣＰＵ、ＲＡＭ、ＲＯＭなどから構成されていて、操作部５からの指示に基づきＣＰＵがＲＯＭ内の制御プログラムをＲＡＭに展開・実行することで各部を制御するようになっている。
【００２７】
具体的には、制御部１０は、操作部５からコンテンツリスト表示指示が入力されると、通信部６を制御してコンテンツリスト取得指示をサーバＳに出力する。これに伴ってサーバＳからコンテンツリストが出力されて、通信部６で受信すると、制御部１０はＶＩＤＥＯ制御部９を制御してモニタＭにコンテンツリストを表示させる。
【００２８】
また、制御部１０は、操作部５からコンテンツ選択指示が入力されると、通信部６を制御してコンテンツ特定指示をサーバＳに出力する。
【００２９】
そして、制御部１０は、操作部５から特定されたコンテンツに対して再生指示が入力されると、通信部６を制御して、再生指示をサーバＳに出力した後、ＤＩＲ８及びＶＩＤＥＯ制御部９を制御して、サーバＳから入力された再生データを再生する。
【００３０】
また、制御部１０は、再生後に操作部５から一時停止指示が入力されると、通信部６を制御して、一時停止指示とともに一時停止情報をサーバＳに出力する。ここで、一時停止情報には、一時停止位置情報や、コンテンツ識別情報などが含まれている。一時停止位置情報は、一時停止時における時間情報である。また、コンテンツ識別情報は、コンテンツを識別するための情報であり、例えば、カテゴリ（ＭＯＶＩＥ、ＭＵＳＩＣ、ＰＨＯＴＯ）、コンテンツ名、ファイル形式などからなる。
【００３１】
この一時停止指示の入力に伴って操作部５にパスワード登録指示が入力されると、制御部１０は入力された番号をパスワードとして認識し、このパスワードも一時停止情報として、通信部６を制御しサーバＳに出力する。
【００３２】
なお、制御部１０は一時停止情報の作成後や、サーバＳを介して他の再生装置２で作成された一時停止情報が入力された後には、これらの一時停止情報をＲＡＭに記憶させるようになっている。
【００３３】
また、制御部１０は、操作部５から特定されたコンテンツに対して再生再開指示が入力されると、通信部６を制御して、再生再開指示及び当該コンテンツの一時停止情報をサーバＳに出力した後、ＤＩＲ８及びＶＩＤＥＯ制御部９を制御して、サーバＳから入力された再生データを再生する。
【００３４】
この再生再開指示の入力に伴って操作部５にパスワード入力指示が入力されると、制御部１０は、入力されたパスワードと、当該コンテンツの一時停止情報であるパスワードとを照合し、照合が一致の場合にはサーバから入力された再生データを再生し、照合が不一致の場合には再生を中止するようになっている。
【００３５】
図３は、サーバＳの概略構成を表すブロック図である。図３に示すように、サーバＳには、複数のコンテンツの再生データを記憶する記憶部２０と、複数の再生装置２それぞれの通信部６と通信する通信部（サーバ側通信部）２１と、記憶部２０内の再生データを読み出し、通信部２１から出力させる読出部２２と、複数の再生装置２それぞれの電源状態を検出する検出部２３と、通信部２１に入力された操作部５からの指示及び検出部２３の検出結果に基づいて読出部２２及び通信部２１を制御する制御部（サーバ側制御部）２４とが設けられている。
【００３６】
制御部２４は、ＣＰＵ、ＲＡＭ、ＲＯＭなどから構成されていて、通信部２１に入力された指示に基づきＣＰＵがＲＯＭ内の制御プログラムをＲＡＭに展開・実行することで各部を制御するようになっている。
【００３７】
制御部２４は、通信部２１にコンテンツリスト取得指示が入力されると、記憶部２０内の全コンテンツの再生データリストを作成し、通信部２１を制御して、コンテンツリスト取得指示を出力した再生装置２に出力する。
【００３８】
また、制御部２４は、通信部２１にコンテンツ特定指示が入力されると、そのコンテンツの再生データを記憶部２０内から選択し、再生対象として認識する。
【００３９】
制御部２４は、通信部２１に再生指示が入力されると、読出部２２及び通信部２１を制御して、記憶部２０内の再生対象となる再生データを先頭から読み出させながら、再生指示を出力した再生装置２に出力する。
【００４０】
制御部２４は、通信部２１に一時停止指示及び一時停止情報が入力されると、読出部２２及び通信部２１を制御して、再生データの読み出しを停止させて、複数の再生装置のうち、検出部２３の検出結果が電源ＯＮである再生装置２に一時停止情報を出力する。この際、制御部２４は入力された一時停止情報をＲＡＭに記憶させるようになっている。
【００４１】
また、制御部２４は、通信部２１に再生再開指示が入力されると、読出部２２及び通信部２１を制御して、記憶部２０内の再生対象となる再生データを一時停止情報に基づく位置から読み出させながら、再生再開指示を出力した再生装置２に出力する。
【００４２】
次に、本実施形態の作用について図４、図５のフローチャートを参照にして説明する。図４は再生装置２側の工程を表すフローチャートであり、図５はサーバＳ側の工程を表すフローチャートである。
【００４３】
まず、再生装置２側の作用について説明する。
制御部１０は、操作部５の表示キーからコンテンツリスト表示指示が入力されると、制御プログラムの実行を開始する。
【００４４】
ステップＳ１では、制御部１０は、通信部６を制御してコンテンツリスト取得指示をサーバＳに出力し、これによりサーバＳから出力されたコンテンツリストを受信すると、ＶＩＤＥＯ制御部９を制御してモニタＭにコンテンツリストを表示させる。
【００４５】
ステップＳ２では、制御部１０は操作部５のＲＥＳＵＭＥキーが入力されたか否かを判断して、ＲＥＳＵＭＥキーが入力された場合には再生再開指示が入力済みとしてステップＳ１１に移行して、入力されていない場合には再生再開指示が未入力としてステップＳ３に移行する。
【００４６】
ステップＳ３では、制御部１０は操作部５の上下キーが入力されたか否かを判断し、上下キーの入力が無い場合にはステップＳ２に移行して、入力がある場合にはステップＳ４に移行する。
【００４７】
ステップＳ４では、制御部１０は上下キーにより選択されたコンテンツが表示されるように、ＶＩＤＥＯ制御部９を制御してモニタＭ上のコンテンツリストをスクロールさせる。
【００４８】
ステップＳ５では、制御部１０はＰＬＡＹキーあるいはＥＮＴＥＲキーが入力されたか否かを判断し、入力された場合にはステップＳ６に移行して、入力されていない場合にはステップＳ２に移行する。
【００４９】
ステップＳ６では、制御部１０はＲＡＭ中の一時停止情報を破棄する。
ステップＳ７では、制御部１０は操作部５のＰＬＡＹキーあるいはＥＮＴＥＲキーの入力時に選択されている再生データを再生対象として再生処理を実行する。再生処理では、まず、制御部１０は、通信部６を制御して再生対象となった再生データを特定するコンテンツ特定指示をサーバＳに出力する。そして、制御部１０は、通信部６を制御して、再生指示をサーバＳに出力した後、ＤＩＲ８及びＶＩＤＥＯ制御部９を制御して、サーバＳから入力された再生データを再生する。
【００５０】
ステップＳ８では、制御部１０は操作部５のＳＴＯＰキーが入力されたか否かを判断し、入力された場合には一時停止指示が入力済みとしてステップＳ１０に移行し、入力されていない場合には一時停止指示が未入力としてステップＳ９に移行する。
ステップＳ９では、制御部１０は再生処理が再生データの最後まで行われたか否かを判断して、最後まで行われた場合にはステップＳ１０に移行して、最後まで行われていない場合にはステップＳ８に移行する。
【００５１】
ステップＳ１０では、制御部１０は停止処理を実行して、ステップＳ１に移行する。
【００５２】
ステップＳ１１では、制御部１０はＲＡＭ中に一時停止情報があるか否かを判断し、一時停止情報がある場合にはステップＳ１２に移行して、ない場合にはステップＳ２０に移行する。
【００５３】
ステップＳ１２では、制御部１０はＲＡＭ中の一時停止情報が他の再生装置２の一時停止情報であるか否かを判断して、他の再生装置２の一時停止情報である場合にはステップＳ１５に移行して、そうでない場合にはステップＳ１３に移行する。
【００５４】
ステップＳ１３では、制御部１０は通信部６を制御して一時停止情報をサーバＳに転送する。
ステップＳ１４では、制御部１０は一時停止情報の転送が完了したか否かを判断し、完了している場合にはステップＳ２０に移行して、完了していない場合にはステップＳ１３に移行する。
【００５５】
ステップＳ１５では、制御部１０はモニタＭ上にパスワード入力表示画面が表示されるように、ＶＩＤＥＯ制御部９を制御する。
【００５６】
ステップＳ１６では、制御部１０は数字キーが入力されたか否かを判断し、入力されていない場合にはその状態で待機して、入力された場合にはステップＳ１７に移行する。
ステップＳ１７では、制御部１０は数字キーによる数字入力が完了したか否かを判断し、完了していない場合にはステップＳ１６に移行し、完了した場合にはステップＳ１８に移行する。
ステップＳ１８では、制御部１０はＥＮＴＥＲキーが入力されたか否かを判断し、入力されている場合にはステップＳ１９に移行し、入力されていない場合にはその状態で待機する。
【００５７】
ステップＳ１９では、制御部１０は入力されたパスワードと、一時停止情報内のパスワードとを照合し、照合が一致の場合にはステップＳ１３に移行して、照合が不一致の場合には再生を中止するためにその旨を報知して終了する。
【００５８】
ステップＳ２０では、制御部１０はモニタＭ上に一時停止情報がない旨が表示されるように、ＶＩＤＥＯ制御部９を制御する。
【００５９】
ステップＳ２１では、制御部１０はＲＡＭ中の一時停止情報に対応する再生データを再生対象として再生処理を実行する。再生処理では、制御部１０は、通信部６を制御して、再生再開指示をサーバＳに出力した後、ＤＩＲ８及びＶＩＤＥＯ制御部９を制御して、サーバＳから入力された再生データを再生する。ここで、一時停止情報がＲＡＭ中に記憶されていた場合であると、サーバＳからは一時停止位置からの再生データが転送されているので、再生装置２では一時停止位置から再生が再開される。一方、一時停止情報がＲＡＭ中に記憶されていない場合であると、サーバＳからは再生データが最初から転送されているので、再生装置２では始めから再生が開始される。
【００６０】
ステップＳ２２では、制御部１０は操作部５のＳＴＯＰキーが入力されたか否かを判断し、入力された場合には一時停止指示が入力済みとしてステップＳ２６に移行し、入力されていない場合には一時停止指示が未入力としてステップＳ２３に移行する。
ステップＳ２３では、制御部１０は再生処理が再生データの最後まで行われたか否かを判断して、最後まで行われた場合にはステップＳ２４に移行して、最後まで行われていない場合にはステップＳ２２に移行する。
【００６１】
ステップＳ２４では、制御部１０は停止処理を実行する。
ステップＳ２５では、制御部１０はＲＡＭ中の一時停止情報を破棄して、ステップＳ１に移行する。
【００６２】
ステップＳ２６では、制御部１０は停止処理を実行する。
ステップＳ２７では、制御部１０は停止処理に基づく一時停止情報を作成する。
ステップＳ２８では、制御部１０はＲＡＭに一時停止情報を上書きして記憶する。
ステップＳ２９では、制御部１０は通信部６を制御して一時停止情報をサーバＳに転送する。
ステップＳ３０では、制御部１０は転送が完了しているか否かを判断し、完了している場合にはステップＳ１に移行して、完了していない場合にはステップＳ２９に移行する。
【００６３】
次に、サーバＳ側の作用について説明する。
制御部２４は、操作部５からコンテンツリスト表示指示が入力されると、記憶部２０内の全コンテンツの再生データリストを作成し、通信部２１を制御して、コンテンツリスト取得指示を出力した再生装置２に出力する。
その後、通信部２１にコンテンツ特定指示が入力されると、制御部２４は、そのコンテンツの再生データを記憶部２０内から選択し、再生対象として認識した後、制御プログラムの実行を開始する。
【００６４】
ステップＳ３１では、制御部２４は通信部２１に再生指示や再生再開指示などの再生要求が入力されているか否かを判断し、再生要求が入力されている場合にはステップＳ３２に移行して、入力されていない場合にはその状態で待機する。
【００６５】
ステップＳ３２では、制御部２４は再生要求に一時停止情報が含まれているか否か、つまり再生要求が再生再開指示であるか否かを判断し、一時停止情報が受信される場合にはステップＳ３３に移行して、受信されない場合にはステップＳ３６に移行する。
【００６６】
ステップＳ３３では、制御部２４は通信部２１により一時停止情報を受信する。
ステップＳ３４では、制御部２４は一時停止情報のデータ受信が完了したか否かを判断し、完了した場合にはステップＳ３５に移行して、完了していない場合にはステップＳ３３に移行する。
【００６７】
ステップＳ３５では、制御部２４は一時停止情報の一時停止位置情報を基に再生再開位置を設定し、ステップＳ３６に移行する。
【００６８】
ステップＳ３６では、制御部２４は読出部２２及び通信部２１を制御して、記憶部２０内の再生対象となる再生データを読み出させながら、再生要求のあった再生装置２に出力する。このとき、再生要求が再生指示であった場合には再生データを先頭から出力し、再生要求が再生再開指示であった場合には再生再開位置から再生データを出力している。
【００６９】
ステップＳ３７では、制御部２４は通信部２１に一時停止指示が入力されているか否かを判断し、一時停止指示が入力されている場合にはステップＳ４０に移行し、一時停止指示が入力されていない場合にはステップＳ３８に移行する。
【００７０】
ステップＳ３８では、制御部２４は再生データの転送が完了したか否かを判断し、完了していない場合にはステップＳ３６に移行して、完了している場合にはステップＳ３９に移行する。
ステップＳ３９では、制御部２４は読出部２２を制御して再生データの読み出しを停止させることで停止処理を実行してステップＳ３１に移行する。
【００７１】
ステップＳ４０では、制御部２４は一時停止指示とともに一時停止情報が通信部２１で受信されるか否かを判断し、受信される場合にはステップＳ４１に移行して、受信されない場合にはステップＳ３１に移行する。
【００７２】
ステップＳ４１では、制御部２４は一時停止情報を通信部２１により一時停止情報を受信する。
ステップＳ４２では、制御部２４は一時停止情報のデータ受信が完了したか否かを判断し、完了した場合にはステップＳ４３に移行して、完了していない場合にはステップＳ４１に移行する。
【００７３】
ステップＳ４３では、制御部２４は停止処理を実行する。
ステップＳ４４では、制御部２４は検出部２３を制御して各再生装置２の電源状態を検出する。
【００７４】
ステップＳ４５では、制御部２４は検出部２３の検出結果が電源オンとなる再生装置２が有ったか否かを判断し、有った場合にはステップＳ４６に移行して、ない場合にはステップＳ３１に移行する。
【００７５】
ステップＳ４６では、制御部２４は通信部２１を制御して、電源オンである再生装置２全てに対して一時停止情報を送信させる。
ステップＳ４７では、制御部２４は一時停止情報の送信が完了したか否かを判断し、完了している場合にはステップＳ３１に移行して、完了していない場合にはステップＳ４６に移行する。
【００７６】
以上のように本実施形態によれば、サーバＳの通信部２１に一時停止指示及び一時停止情報が入力されると、再生データの読み出しが停止されて、複数の再生装置２のうち、検出部２３の検出結果が電源ＯＮである再生装置２に対して一時停止情報が出力されるので、電源ＯＮの全ての再生装置２で一時停止情報を取得させることができる。取得した一時停止情報は、再生再開指示とともにサーバに出力されるので、一時停止情報に基づいた一時停止位置から再生が再開されることになる。このように一時停止位置まで早送りをしなくともネットワーク上のいずれの再生装置２で停止位置からの再生再開を即座に実行することができることになる。
また、再生再開指示の入力時に入力されたパスワードと、一時停止指示の入力時に登録されたパスワードとが照合されて、当該照合が一致の場合にはサーバＳから入力された再生データが再生され、照合が不一致の場合には再生が停止されるので、他人に自分の嗜好を知られてしまうことを防止することができる。
【００７７】
なお、本発明は上記実施形態に限らず適宜変更可能であるのは勿論である。
例えば、本実施形態では、一時停止指示がサーバＳに入力されたときに各再生装置２の電源状態を検出して、この検出時に電源ＯＮである再生装置２にのみ、一時停止情報を出力する場合について説明しているが、検出部２３が再生装置２の電源状態を常に監視し、電源ＯＦＦから電源ＯＮに切り替わった再生装置２を検出した際に、当該再生装置２にＲＡＭ中の一時停止情報を出力するようにしてもよい。
また、一時停止情報を使用して再生再開を実行した再生装置２がサーバＳを介して他の再生装置２に一時停止情報の削除を指示してもよい。
【図面の簡単な説明】
【００７８】
【図１】本実施形態のネットワークシステムを示す説明図である。
【図２】図１のネットワークシステムに備わる再生装置の概略構成を表すブロック図である。
【図３】図１のネットワークシステムに備わるサーバの概略構成を表すブロック図である。
【図４】図２の再生装置の工程を表すフローチャートである。
【図５】図３のサーバの工程を表すフローチャートである。
【図６】従来のネットワークシステムにおけるクライアントの制御工程を表すフローチャートである。
【符号の説明】
【００７９】
１      ネットワークシステム
２      再生装置
３      サーバ
４      ルータ
５      操作部
６      通信部（装置側通信部）
７      デコーダ
８      ＤＩＲ（再生部）
９      ＶＩＤＥＯ制御部（再生部）
１０      制御部（装置側制御部）
１１      表示部
１２      表示制御マイコン
１３      オーディオＤＳＰ
１４      アンプ部
１５      スピーカ
２０      記憶部
２１      通信部（サーバ側通信部）
２２      読出部
２３      検出部
２４      制御部（サーバ側制御部）
６１      入出力端子
６２      コントローラ
Ｍ      モニタ
Ｓ      サーバ
【図１】
0004807108.tif 000002
【図２】
0004807108.tif 000003
【図３】
0004807108.tif 000004
【図４】
0004807108.tif 000005
【図５】
0004807108.tif 000006
【図６】
0004807108.tif 000007